(57)【要約】【課題】水温が変化しても、適切な逆洗運転が可能となる濾過装置及び濾過装置の制御方法を提供すること。【解決手段】濾過装置１は、一次側から二次側へ通過する水を濾過する、濾過材が収容された濾過槽３１と、濾過槽３１の一次側に接続された主配管４１、及び、濾過槽３１の一次側に、主配管４１に並列に接続された副配管４３を有する排水管３４と、濾過槽３１で濾過された水を貯留する貯留槽１３と、貯留槽１３に貯留された水を濾過槽３１の二次側に供給する逆洗ポンプ１４と、副配管４３に設けられた開閉弁４５と、を備える。【選択図】図１
2018099642.tif 000002
【特許請求の範囲】
【請求項１】
一次側から二次側へ通過する水を濾過する、濾過材が収容され濾過槽と、
前記濾過槽の一次側に接続された主配管、及び、前記濾過槽の一次側に、前記主配管に並列に接続された副配管を有する排水管と、
前記濾過槽で濾過された前記水を前記濾過槽の二次側に供給する逆洗ポンプと、
前記副配管に設けられた開閉弁と、
を備えることを特徴とする濾過装置。
【請求項２】
前記濾過槽の二次側に設けられ、前記濾過槽で処理された水を貯留する貯留槽と、
前記貯留槽に貯留された前記水の水温及び前記逆洗ポンプから前記濾過槽に供給された前記水の水温の少なくとも一方を検出する温度センサと、
前記濾過材の逆洗展開率が所定の値となる水温が閾値として記憶された記憶部と、
前記温度センサで検出された水温が前記閾値を越えたときに、前記開閉弁を切り換える制御部と、
を備え、
前記逆洗ポンプは前記貯留槽に貯留された前記水を前記濾過槽の二次側に供給することを特徴とする請求項１に記載の濾過装置。
【請求項３】
前記制御部は、前記温度センサで検出された水温が所定の時間継続して前記閾値を超えたときに、前記開閉弁を開くことを特徴とする請求項２に記載の濾過装置。
【請求項４】
前記副配管は複数設けられ、
前記開閉弁は前記副配管にそれぞれ設けられ、
前記閾値は複数設けられ、
前記制御部は、前記温度センサで検出された水温が前記複数の閾値を順次越えたときに、前記複数の副配管の前記開閉弁を順次開くことを特徴とする請求項３に記載の濾過装置。
【請求項５】
前記逆洗ポンプは複数設けられ、
前記閾値は複数設けられ、
前記制御部は、前記温度センサで検出された水温が前記複数の閾値を順次越えたときに、前記開閉弁及び前記複数の逆洗ポンプを制御することを特徴とする請求項３に記載の濾過装置。
【請求項６】
前記主配管及び前記副配管にそれぞれ設けられた流量調整弁をさらに備えることを特徴とする請求項１に記載の濾過装置。
【請求項７】
一次側から二次側へ通過する水を濾過する、濾過材が収容された濾過槽で処理され、貯留槽に貯留された水を逆洗ポンプにより前記濾過槽の二次側から前記濾過槽の一次側へ供給し、
前記貯留槽に貯留された前記水の水温及び前記逆洗ポンプから前記濾過槽に供給された前記水の水温の少なくとも一方を温度センサで検出し、
前記温度センサで検出された前記水温と、記憶部に閾値として記憶された前記濾過材の逆洗展開率が所定の値となる水温とを制御部が比較し、
前記温度センサで検出された前記水温が前記閾値を越えたときに、前記制御部が前記濾過槽の一次側に接続された主配管及び前記濾過槽の一次側に、前記主配管に並列に接続された副配管を有する排水管の前記副配管に設けられた開閉弁を開く、
ことを特徴とする濾過装置の制御方法。
【請求項８】
前記開閉弁は、前記温度センサで検出された前記水温が、所定の時間継続して前記閾値を越えたときに開くことを特徴とする請求項７に記載の濾過装置の制御方法。
【請求項９】
前記副配管は複数設けられ、
前記開閉弁は前記副配管にそれぞれ設けられ、
前記閾値は複数設けられ、
前記制御部は、前記温度センサで検出された前記水温が前記複数の閾値を順次越えたときに、前記複数の副配管の前記開閉弁を順次開くことを特徴とする請求項７に記載の濾過装置の制御方法。
【請求項１０】
前記逆洗ポンプは複数設けられ、
前記閾値は複数設けられ、
前記制御部は、前記温度センサで検出された前記水温が前記複数の閾値を順次越えたときに、前記開閉弁及び前記複数の逆洗ポンプを制御することを特徴とする請求項３に記載の濾過装置。
【発明の詳細な説明】
【技術分野】
【０００１】
本発明は、逆洗が可能な濾過装置及び濾過装置の制御方法に関する。
【背景技術】
【０００２】
現在、井戸水等の原水をポンプにより増圧して供給することで、家庭用の生活水や工場の工業用水として使用する技術が知られている。しかし、原水には、不純物として例えば鉄やマンガンが溶存している。このため、生活水や工業用水として用いるために、濾過材により原水を濾過することで鉄やマンガンを除去する除鉄及び除マンガンが可能な濾過装置が知られている（例えば、特許文献１参照）。
【０００３】
このような除鉄及び除マンガンが可能な濾過装置は、濾過材が円筒状の濾過槽内に設けられ、薬液が注入された原水が濾過材を通水することで、原水中の鉄及びマンガンを除去する。また、濾過装置は、一定水量を濾過した後、逆洗を行うことで、濾過材に付着した不純物を除去し、濾過材の寿命を延ばす、所謂逆洗運転を定期的に行う。
【０００４】
濾過材は、濾過装置の逆洗運転が行われると、濾過槽内で水の流れにより浮き上がり、濾過材に付着した不純物が除去される。この濾過材の浮き上がりの具合である逆洗展開率により、濾過材に付着した不純物の除去量が異なる。このため、濾過装置は、不純物を適切に除去できる逆先展開率が得られる流速で逆洗を行うことが求められている。
【先行技術文献】
【特許文献】
【０００５】
【特許文献１】特開２００３−２６９６３０号公報
【発明の概要】
【発明が解決しようとする課題】
【０００６】
上述した濾過装置では、以下の問題があった。即ち、ある水温において、適切な逆洗展開率が得られる流速を濾過装置に設定したとしても、季節の変化等によって水温が変化すると、同じ流速でも逆洗展開率が変化し、適切な逆洗が行われない虞がある。具体的には、水温が高い場合には、水温が低い場合と比較して、同じ逆先展開率を得るために大きな流速が必要となる。このため、濾過装置に設定される逆洗運転時の流速は、水温が高い場合であっても所望の逆洗展開率が求められる流速が設定される。
【０００７】
しかし、水温が低くなった場合に、高い水温で設定された流速で逆洗を行うと、濾過材が過剰に展開し、濾過材が一次側に流出する虞がある。例えば、濾過材が一次側に流出することを防止できる構造やサイズの濾過槽とすることも考えられるが、大きな設計変更が必要となる、という問題がある。
【０００８】
そこで本発明は、水温が変化しても、適切な逆洗運転が可能となる濾過装置及び濾過装置の制御方法を提供することを目的とする。
【課題を解決するための手段】
【０００９】
本発明の一態様として、濾過装置は、一次側から二次側へ通過する水を濾過する、濾過材が収容され濾過槽と、前記濾過槽の一次側に接続された主配管、及び、前記濾過槽の一次側に、前記主配管に並列に接続された副配管を有する排水管と、前記濾過槽で濾過された前記水を前記濾過槽の二次側に供給する逆洗ポンプと、前記副配管に設けられた開閉弁と、を備える。
【００１０】
本発明の一態様として、濾過装置の制御方法は、一次側から二次側へ通過する水を濾過する、濾過材が収容された濾過槽で処理され、貯留槽に貯留された水を逆洗ポンプにより前記濾過槽の二次側から前記濾過槽の一次側へ供給し、前記貯留槽に貯留された前記水の水温及び前記逆洗ポンプから前記濾過槽に供給された前記水の水温の少なくとも一方を温度センサで検出し、前記温度センサで検出された前記水温と、記憶部に閾値として記憶された前記濾過材の逆洗展開率が所定の値となる水温とを制御部が比較し、前記温度センサで検出された前記水温が前記閾値を越えたときに、制御部が前記濾過槽の一次側に接続された主配管及び前記濾過槽の一次側に、前記主配管に並列に接続された副配管を有する排水管の前記副配管に設けられた開閉弁を開く。
【発明の効果】
【００１１】
本発明によれば、水温が変化しても、適切な逆洗運転が可能となる濾過装置及び濾過装置の制御方法を提供することができる。
【図面の簡単な説明】
【００１２】
【図１】本発明の第１の実施形態に係る濾過装置の構成を示す説明図。
【図２】同濾過装置を用いた逆洗運転の制御方法の一例を示す流れ図。
【図３】本発明の第２の実施形態に係る濾過装置の構成を示す説明図。
【図４】本発明の変形例に係る濾過装置の構成を示す説明図。
【発明を実施するための形態】
【００１３】
以下、本発明の第１の実施形態に係る濾過装置１を、図１及び図２を用いて説明する。  
図１は、本発明の第１の実施形態に係る濾過装置１の構成を示す説明図、図２は濾過装置１を用いた逆洗運転の制御方法の一例を示す流れ図である。
【００１４】
図１に示すように、濾過装置１は、原水の供給源１００に設けられたポンプ装置１１と、ポンプ装置１１の二次側に設けられた濾過ユニット１２と、濾過ユニット１２の二次側に設けられた貯留槽１３と、逆洗ポンプ１４と、薬液注入装置１５と、制御盤１６と、を備えている。
【００１５】
濾過装置１は、例えば、原水に薬液注入装置１５で薬液を注入し、濾過ユニット１２により原水中に含まれる鉄及びマンガンを除去するとともに、原水中に存在する砂等の固形物を除去可能に形成されている。ここで、供給源１００は、例えば井戸である。
【００１６】
ポンプ装置１１は、例えば井戸水を揚水可能な陸上ポンプである。ポンプ装置１１は、ポンプ２１と、ポンプ２１を駆動するモータ２２と、ポンプ２１の二次側に接続された配管２３と、を備えている。ポンプ２１は、配管２３を介して濾過ユニット１２に接続されている。モータ２２は、信号線９９を介して制御盤１６に接続される。配管２３は、ポンプ２１及び濾過ユニット１２を接続する。
【００１７】
濾過ユニット１２は、濾過槽３１と、吸込管３２と、第１三方弁３３と、排水管３４と、吐出管３５と、第２三方弁３６と、給水管３７と、逆洗配管３８と、温度センサ３９と、を備えている。
【００１８】
濾過槽３１は、内部に積層された、複数の濾過材を備える。複数の濾過材の一は、薬液が注入された原水から鉄を除去可能に構成される。複数の濾過材の一は、薬液が注入された原水からマンガンを除去可能に構成される。複数の濾過材の一は、原水に含まれる固形物を除去可能に構成される。
【００１９】
吸込管３２は、濾過槽３１に接続される。吸込管３２の一端は、複数の濾過材の最上層の上方に配置される。
【００２０】
第１三方弁３３は、電動弁であり、信号線９９を介して制御盤１６に接続される。第１三方弁３３は、３つのポートを有しており、内部の流路を切り替えることで、これらのいずれか２つのポートを接続する。第１三方弁３３は、第１ポートが配管２３に接続される。第１三方弁３３は、第２ポートが吸込管３２の他端に接続される。第１三方弁３３は、第３ポートが排水管３４に接続される。
【００２１】
排水管３４は、主配管４１と、主配管４１に設けられた第１流量調整弁４２と、主配管４１に並列に接続された副配管４３と、副配管４３に設けられた第２流量調整弁４４と、副配管４３に設けられた開閉弁４５と、を備えている。
【００２２】
主配管４１は、ドレン等の排水先１１０に接続される。第１流量調整弁４２は、主配管４１の流量を調整可能に構成される。第１流量調整弁４２は、逆洗時であって、冬季等の水温が低いときに、主配管４１の流量により所定の逆洗展開率が得られる流量に主配管４１を設定する。
【００２３】
ここで、逆先展開率とは、逆洗運転時の濾過槽３１内での濾過材の展開率である。具体的には、逆洗展開率は、濾過槽３１に積層された濾過材が吐出管３５から吸込管３２への逆洗運転の水の流れにより濾過槽３１内で濾過材が浮き上がる具合であり、過材に付着した不純物の除去量に影響する。また、逆洗展開率は、水温により変化し、水温が高くなると低下する。このため、濾過装置１は、形状、性能、濾過材の種類等により、適宜濾過材に付着した不純物を適切に除去できる逆先展開率が設定される。
【００２４】
副配管４３は、単数又は複数設けられる。本実施形態においては、副配管４３が単数設けられる構成を説明する。副配管４３は、主配管４１に並列に配置される。具体的には、副配管４３は、第１流量調整弁４２の一次側及び二次側に接続される。より具体的には、副配管４３は、第１流量調整弁４２の一次側の流路が分岐することで主配管４１に接続され、第１流量調整弁４２の二次側の流路に合流することで主配管４１に接続される。
【００２５】
第２流量調整弁４４は、副配管４３の流量を調整可能に構成される。第２流量調整弁４４は、逆洗時であって、夏季等の水温が高いときに、第１流量調整弁４２で流量が調整された主配管４１とともに排水管３４の流量により所定の逆先展開率が得られる流量に副配管４３を設定する。
【００２６】
開閉弁４５は、電動弁であり、信号線９９を介して制御盤１６に接続される。開閉弁４５は、副配管４３の流路を開閉可能に構成される。
【００２７】
吐出管３５は、濾過槽３１に接続される。吐出管３５の一端は、複数の濾過材の最下層に配置される。
【００２８】
第２三方弁３６は、電動弁であり、信号線９９を介して制御盤１６に接続される。第２三方弁３６は、３つのポートを有しており、内部の流路を切り替えることで、これらのいずれか２つのポートを接続する。第２三方弁３６は、第１ポートが吐出管３５の他端に接続される。第２三方弁３６は、第２ポートが給水管３７に接続される。第２三方弁３６は、第３ポートが逆洗配管３８に接続される。
【００２９】
給水管３７は、貯留槽１３に接続される。給水管３７は、吐出管３５から吐出された水を貯留槽１３に給水する流路を構成する。逆洗配管３８は、逆洗ポンプ１４に接続される。
【００３０】
温度センサ３９は、逆洗ポンプ１４により濾過槽３１に供給される水の水温を検出可能に構成される。温度センサ３９は、貯留槽１３及び逆洗配管３８の少なくとも一方に設けられる。例えば、温度センサ３９は、貯留槽１３及び逆洗配管３８の一方に設けられる。温度センサ３９は、貯留槽１３内に貯留された水の水温、及び、逆洗配管３８を流れる水の水温を検出可能に構成される。温度センサ３９は、信号線９９を介して制御盤１６に接続され、検出した水温の情報を制御盤１６に送信可能に構成される。
【００３１】
逆洗ポンプ１４は、ポンプ６１と、モータ６２と、を備えている。また、逆洗ポンプ１４は、ポンプ６１の二次側に、逆止弁６３及び開閉弁６４を備えている。モータ６２は、信号線９９を介して制御盤１６に接続される。開閉弁６４は、例えば、手動で開閉可能に構成される。
【００３２】
薬液注入装置１５は、配管２３に接続され、配管２３を流れる原水中に薬液を注入可能に構成される。薬液注入装置１５は、例えば、薬液を貯留するタンク及びタンク内の薬液を二次側に供給するダイヤフラムを備えている。
【００３３】
制御盤１６は、記憶部５１と、制御部５２と、を備えている。
【００３４】
記憶部５１は、温度センサ３９で検出した情報を記憶可能に形成されている。記憶部５１は、任意に設定される閾値、及び、任意に設定される設定時間が記憶される。
【００３５】
閾値は、逆洗時に温度センサ３９で検出した温度に基づいて、副配管４３の開閉弁４５を開くか否かの判断を行うかを選択する値である。閾値は、逆洗時に所定の逆先展開率を得るために副配管４３の開閉弁４５が開いたときの排水管３４の流量を要する水温が設定される。例えば、閾値は、２０℃に設定される。
【００３６】
設定時間は、逆洗時の水温が閾値を所定の時間の間超えたときに、水温が高いと判断し、開閉弁４５を開くまでの時間であり、適宜設定される。
【００３７】
制御部５２は、第１三方弁３３、第２三方弁３６、及び、開閉弁４５を切り替え可能に構成されている。制御部５２は、ポンプ装置１１のモータ２２を制御することで、ポンプ２１を駆動可能に構成されている。制御部５２は、逆洗ポンプ１４のモータ６２を制御することで、ポンプ６１を駆動可能に構成されている。
【００３８】
制御部５２は、以下の（１）乃至（３）の機能を有している。
【００３９】
（１）  原水を濾過する通常運転を行う機能。
【００４０】
（２）  濾過槽３１内で水を逆流させて濾過槽内を洗浄する逆洗運転を行う機能。
【００４１】
（３）  逆洗運転時に、水温に基づいて流量を制御する機能。
【００４２】
制御部５２が有する機能（１）乃至（３）について説明する。  
機能（１）は、薬液を注入した原水を濾過槽３１で濾過処理することで原水から鉄、マンガン及び固形物からなる不純物を除去する通常運転を行う機能である。具体的には、ポンプ装置１１のポンプ２１から配管２３、吸込管３２、濾過槽３１、吐出管３５、給水管３７を通り、貯留槽１３へ接続される流路を構成可能に、制御部５２が第１三方弁３３及び第２三方弁３６を切り替える。
【００４３】
この状態で、制御部５２がモータ２２を制御することで、ポンプ２１を駆動し、原水を濾過槽３１に給水するとともに、流量に応じて原水に薬液を注入し、当該薬液が注入された原水が濾過槽３１を通過させる。これにより、当該原水が濾過槽３１内の濾過材により、原水に含有される鉄及びマンガンが除去されるとともに、原水中の固形物が濾過される。このように、機能（１）は、原水から除鉄、除マンガン及び濾過を行う機能である。
【００４４】
機能（２）は、濾過運転の累積運転時間が所定の時間を経過した後に、濾過槽３１内で吐出管３５から吸込管３２に向かって原水を流すことで、濾過槽３１で水を逆流させて濾過槽３１内の濾過材を展開し、濾過材を洗浄する逆洗運転を行う機能である。
具体的には、逆洗ポンプ１４のポンプ６１から逆洗配管３８、吐出管３５、濾過槽３１、吸込管３２、排水管３４の順に流れるように、第１三方弁３３及び第２三方弁３６を切り替える。
【００４５】
この状態で、所定の時間の間、制御部５２がモータ６２を駆動することで、貯留槽１３に貯留された水が吐出管３５から濾過槽３１を逆流して通過し、吸込管３２から排水管３４を通過することで、濾過材を洗浄し、当該洗浄した汚染水を排水先１１０に排水する。これにより、濾過槽３１内の不純物や、濾過材に付着した鉄及びマンガンを除去し、濾過槽３１内を洗浄する。このように、機能（２）は、原水を逆流させて濾過槽３１内を通過させることで、濾過槽３１内を洗浄する機能である。なお、逆洗運転は、例えば、通常運転の累積時間が所定の時間を経過したときに行われる。
【００４６】
なお、機能（２）における通常運転から逆洗運転へ切り替える閾値となる累積運転時間とは、運転時間並びに濾過槽３１に設定された鉄及びマンガンの除去量から求められる積算除去量が所定値に達する時間である。
【００４７】
例えば、原水中の鉄の含有量がＦｅ＝５ｍｇ／ｌ、原水中のマンガンの含有量が１ｍｇ／ｌ、総含有量が６ｍｇ／ｌである場合に、原水中から除去した鉄及びマンガンの総除去量が１０ｇに達したときに逆洗運転を行う場合の累積運転時間を説明する。この場合、１.６７ｍ３の原水を通水したときに、総除去量が１０ｇに達するため、当該総除去量となる累積運転時間が、閾値として記憶部５１に記憶される。
【００４８】
機能（３）は、機能（２）による逆洗運転中に、温度センサ３９で検出した水温に基づいて排水管３４の副配管４３の開閉を制御することで、排水管３４の流量を制御し、濾過材が適切な逆洗展開率となる流速に濾過槽３１内を流れる水の流速を制御する機能である。
【００４９】
具体的には、逆洗運転中に、制御部５２が温度センサ３９で検出された貯留槽１３内の水温又は逆洗配管３８内の水温が記憶部５１に記憶された閾値を越えたか否かを判断する。検出された水温が所定時間閾値を越えた場合に、副配管４３の開閉弁４５を開く。これにより、水温が高い場合に、排水管３４の流量を増加させ、濾過槽３１内の流速を増加させる。このように、機能（３）は、逆洗運転中に水温に基づいて濾過槽３１内の流速を変えることで、濾過材の逆洗展開率を所定の逆洗が可能な展開率に維持する機能である。
【００５０】
次に、このような濾過装置１の逆洗運転時の制御方法について、図２に示す流れ図を用いて以下説明する。
【００５１】
図２に示すように、先ず、制御部５２は、濾過運転を行う（ステップＳＴ１）。次に、濾過運転の累積運転時間が所定の時間経過する（ステップＳＴ２）と、制御部５２は、ポンプ装置１１を停止し、次いで、逆洗ポンプ１４を駆動する（ステップＳＴ３）。制御部５２は、温度センサ３９により、逆洗時の水温を検出する（ステップＳＴ４）。
【００５２】
次に、制御部５２は、検出した水温と、記憶部５１に記憶された閾値とを比較する（ステップＳＴ５）。検出した水温が閾値を超えた場合（ステップＳＴ５のＹＥＳ）には、制御部５２は、検出した水温が閾値を超えた時間が所定時間を経過したか否かを判断する（ステップＳＴ６）。検出した水温が閾値を超えた時間が所定の時間を経過していない場合（ステップＳＴ６のＮＯ）には、ステップＳＴ５に戻る。検出した水温が閾値を超えた時間が所定の時間を経過した場合（ステップＳＴ６のＮＯ）には、制御部５２は、副配管４３の開閉弁４５を開く（ステップＳＴ７）。
【００５３】
次いで、制御部５２は、逆洗運転開始から所定時間経過したか否かを判断する（ステップＳＴ８）。逆洗運転開始から所定時間経過していない場合（ステップＳＴ８のＮＯ）には、ステップＳＴ５に戻り、逆洗運転を継続する。逆洗運転開始から所定時間経過した場合（ステップＳＴ８のＹＥＳ）には、制御部５２は、逆洗ポンプ１４を停止し、逆洗運転を終了するとともに、ポンプ装置１１を駆動し、濾過運転を行う（ステップＳＴ９）。
【００５４】
ステップＳＴ５において、検出した水温が閾値以下である場合（ステップＳＴ５のＮＯ）には、制御部５２は、副配管４３の開閉弁４５が閉じているときには、当該状態を維持するとともに、副配管４３の開閉弁４５が空いているときには、開閉弁４５を閉じる（ステップＳＴ１０）。次に、制御部５２は、逆洗運転を所定時間経過するまで、逆洗運転を継続し、所定時間経過後（ステップＳＴ８のＹＥＳ）、濾過運転を行う。
【００５５】
このように構成された濾過装置１によれば、逆洗運転時に、水温が所定の温度以上となった場合に、副配管４３の開閉弁４５を開とし、排水管３４を通過する水の流量を制御することで、季節変動等により水温が上昇したとしても、濾過槽３１内の濾過材の逆洗展開率を所望の展開率とすることが可能となる。
【００５６】
即ち、水温が上昇し、逆洗運転時における逆先展開率が低下した場合に、副配管４３を通水可能とすることで、排水管３４を通過する水の流量を増加させる。これにより、逆洗ポンプ１４から排水先１１０へ流れる水の流量が増加することから、濾過槽３１を逆流する水の流速が増加する。濾過槽３１を流れる水の流速が増加することで、濾過装置１は、濾過槽３１内の濾過材の展開率を増加させることが可能となる。
【００５７】
上述したように、本発明の第１の実施形態に係る濾過装置１によれば、水温が変化しても、適切な逆洗運転が可能となる。
【００５８】
次に、本発明の第２の実施形態に係る濾過装置１Ａを、図３を用いて説明する。  
図３は本発明の第２の実施形態に係る濾過装置１Ａを示す説明図である。なお、第２の実施形態に係る濾過装置１Ａの構成のうち、第１の実施形態に係る濾過装置１と同様の構成には同一符号を付し、その詳細な説明は省略する。
【００５９】
図３に示すように、濾過装置１Ａは、ポンプ装置１１と、濾過ユニット１２と、貯留槽１３と、逆洗ポンプ１４Ａと、制御盤１６と、を備えている。
【００６０】
逆洗ポンプ１４Ａは、複数のポンプ６１と、ポンプ６１にそれぞれ設けられたモータ６２と、を備えている。なお、本実施形態においては、逆洗ポンプ１４Ａは、ポンプ６１及びモータ６２を２つ備える構成を用いて説明する。逆洗ポンプ１４Ａは、ポンプ６１の二次側に、それぞれ逆止弁６３及び開閉弁６４を備えている。このような濾過装置１Ａは、上述した濾過装置１と、逆洗ポンプ１４Ａに複数のポンプ６１及びモータ６２を備える構成で異なる。
【００６１】
このように構成された濾過装置１Ａは、上述した濾過装置１と同様に、逆洗運転時に水温が閾値を超えたときに、副配管４３の開閉弁４５を開くことで、濾過槽３１内の流速を増加させることが可能となる。また、逆洗ポンプ１４Ａは、複数のポンプ６１及びモータ６２を備える構成である。この構成により、逆洗時に、複数のポンプ６１及び副配管４３の開閉弁４５により、流量を複数回増加させることが可能となる。これにより、閾値を複数設定することが可能となる。結果、複数の閾値で濾過槽３１内の流速を設定することが可能となり、使用可能な水温範囲が広くなる。これにより、例えば、水温が２０℃を越える場所において、濾過装置１を用いることが可能となる。
【００６２】
なお、本発明は上記実施形態に限定されるものではない。例えば、上述した例では、濾過装置１は、逆洗ポンプ１４及び逆洗配管３８を第２三方弁３６の第３ポートに接続し、逆洗時に、逆洗ポンプ１４を駆動し、第２三方弁３６を切り換えて逆洗を行う構成を説明したがこれに限定されず、原水により逆洗を行う構成であってもよい。
【００６３】
例えば、図４の本発明の変形例に係る濾過装置１Ｂに示すように、濾過装置１Ｂは、逆洗ポンプ１４及び逆洗配管３８を有さず、配管２３を第１三方弁３３の一次側で分岐させて第２三方弁３６の第３ポートに接続する構成であってもよい。濾過装置１Ｂは、温度センサ３９は配管２３に設けられる。
【００６４】
このように構成された濾過装置１Ｂは、逆洗時に、第１三方弁３３を切り換えて吸込管３２及び排水管３４を接続し、第２三方弁３６を切り換えて配管２３及び吐出管３５を接続する。この構成により、濾過装置１Ｂは、原水により逆洗が可能となるとともに、逆洗時の流速を、排水管３４で制御することが可能となる。結果、濾過装置１Ｂは、季節変動等により水温が上昇したとしても、濾過槽３１内の濾過材の逆洗展開率を所望の展開率とすることが可能となる。
【００６５】
また、例えば、上述した例では、濾過装置１、１Ａは、制御部５２により開閉が切り換えられる開閉弁４５をそれぞれ有する副配管４３を複数備える構成であってもよい。このような構成とした濾過装置は、複数の閾値を記憶部５１に記憶し、温度センサ３９で検出された水温が複数の閾値を順次超えるごとに、各開閉弁４５を順次開ける構成とすればよい。
【００６６】
また、上述した例では、濾過装置１は濾過処理を行った水を貯留する処理水槽として貯留槽１３を備える構成を説明したがこれに限定されず、貯留層１３を有さない構成としてもよい。貯留層１３を有さない濾過装置１とした場合には、濾過装置１は、逆洗ポンプ１４も設けず、ポンプ装置１１で逆洗を行う、所謂原水逆洗を行う。例えば、ポンプ装置１１の二次側であって、且つ、第１三方弁３３の一次側に、電動弁である三方弁を設け、当該三方弁の第１ポートに配管２３を、第２ポートに第１三方弁３３に接続される配管を、第３ポートに第２三方弁３６に接続される配管を設ける構成とする。この構成の濾過装置１は、逆洗時において、当該三方弁を切り替えてポンプ装置１１及び第２三方弁３６を接続し、第１三方弁３３を切り替えて吸込管３２及び排水管３４を接続し、そして、第２三方弁３６を切り替えてポンプ装置１１及び吐出管３５を接続する。これにより、濾過装置１は、原水逆洗が可能となる。この他、本発明の要旨を逸脱しない範囲で種々変形実施可能である。
【符号の説明】
【００６７】
１、１Ａ…濾過装置、１１…ポンプ装置、１２…濾過ユニット、１３…貯留槽、１４、１４Ａ…逆洗ポンプ、１５…薬液注入装置、１６…制御盤、２１…ポンプ、２２…モータ、２３…配管、３１…濾過槽、３２…吸込管、３３…第１三方弁、３４…排水管、３５…吐出管、３６…第２三方弁、３７…給水管、３８…逆洗配管、３９…温度センサ、４１…主配管、４２…第１流量調整弁、４３…副配管、４４…第２流量調整弁、４５…開閉弁、５１…記憶部、５２…制御部、６１…ポンプ、６２…モータ、６３…逆止弁、６４…開閉弁、９９…信号線、１００…供給源、１１０…排水先。
【図１】
2018099642.tif 000003
【図２】
2018099642.tif 000004
【図３】
2018099642.tif 000005
【図４】
2018099642.tif 000006